(57)【要約】【課題】  ユニット建物の天井支持構造において、上下の建物ユニットを現地据付段階で上下に搭載したとき、上部建物ユニットの構造材に取付けてある上金具の水平連結部の孔と、下部建物ユニットの天井パネルに取付けてある下金具の水平連結部の孔とを簡易に合致させ、ユニット建物の現地施工性を向上すること。【解決手段】  上部建物ユニット１０Ｂの床パネル２０に予め取付けた上金具６０の水平連結部６２と、下部建物ユニット１０Ａの天井パネル４０に予め取付けた下金具５０の水平連結部５２とがボルト７０により連結されるユニット建物１の天井支持構造において、前記両金具５０、６０の水平連結部５２、６２に設けられる孔が長孔５３、６３にされ、両金具の上下の重なり配置状態で、両金具５０、６０の長孔５３、６３の長手方向が互いに交差配置され、前記ボルト７０がそれらの長孔５３、６３の交差部に挿通されるもの。【選択図】  図４
2012229603.tif 000002
【特許請求の範囲】
【請求項１】
上部建物ユニットの構造材に予め取付けた上金具の水平連結部と、下部建物ユニットの天井パネルに予め取付けた下金具の水平連結部とが、それらの両建物ユニットの現地据付段階で上下に重なり配置され、それらの両金具の水平連結部に設けてある孔に挿通されるボルトにより連結されるユニット建物の天井支持構造において、
前記両金具の水平連結部に設けられる孔が長孔にされ、両金具の上下の重なり配置状態で、両金具の長孔の長手方向が互いに交差配置され、前記ボルトがそれらの長孔の交差部に挿通されることを特徴とするユニット建物の天井支持構造。
【請求項２】
前記上金具が上部建物ユニットの構造材への取付部から水平連結部を水平方向に突き出し、前記下金具が下部建物ユニットの天井パネルの側野縁への取付部から水平連結部を水平方向に突き出してなり、
上金具の水平連結部の突き出し長さを下金具の水平連結部の突き出し長さより長く設定してなる請求項１に記載のユニット建物の天井支持構造。
【発明の詳細な説明】
【技術分野】
【０００１】
本発明はユニット建物の天井支持構造に関する。
【背景技術】
【０００２】
ユニット建物を構成する下部建物ユニットの天井パネルの支持構造として、特許文献１に記載の如く、上部建物ユニットの床パネルに予め取付けた上金具の水平連結部と、下部建物ユニットの天井パネルに予め取付けた下金具の水平連結部とが、それらの両建物ユニットの現地据付段階で上下に重なり配置され、それらの両金具の水平連結部に設けてある孔に挿通されるボルトにより連結されるものがある。
【０００３】
特に、直方体状の下部建物ユニットにおいて、天井パネルの一辺の側野縁に対応する壁パネルがなく、当該天井パネルが相隣る他の下部建物ユニットの天井パネルに突き合わされる場合には、当該天井パネルの支持構造として、特許文献１に記載の上述の支持構造が採用される。
【０００４】
即ち、下部建物ユニットにおける天井パネルの上述の一辺の側野縁に予め工場で下金具を取付けるとともに、この下部建物ユニットの天井パネルの側野縁に上下で対応する、上部建物ユニットにおける床パネルの側根太に予め工場で上金具を取付けておく。そして、両建物ユニットの現地据付段階で、下部建物ユニットの上に上部建物ユニットを搭載したとき、上下に重なり配置される上金具の水平連結部と下金具の水平連結部とを、それらの孔に挿通されるボルトにより連結する。これにより、下部建物ユニットの天井パネルにおいて、対応する支持壁がない一辺の側野縁を、上部建物ユニットにおける床パネルの側根太に吊り支持し、その垂れ下がりを防止するものになる。
【先行技術文献】
【特許文献】
【０００５】
【特許文献１】特開2001-193166
【発明の概要】
【発明が解決しようとする課題】
【０００６】
しかしながら、特許文献１に記載のユニット建物にあっては、工場生産段階で、上金具と下金具の加工寸法精度を確保したとしても、上部建物ユニットの床パネルへの上金具の取付作業と、下部建物ユニットの天井パネルへの下金具の取付作業は相互に別個に行なわれており、それらの両金具の相対的な取付位置精度は充分には確保されていない。また、現地据付段階で、下部建物ユニットに対する上部建物ユニットの据付位置精度の確保にも困難がある。
【０００７】
そこで、上下の建物ユニットを現地据付段階で上下に搭載したとき、上金具の水平連結部と下金具の水平連結部の重なり位置精度を高精度に確保することができない。両金具の各水平連結部に設けてある孔を合致させることに困難があり、それらの孔へのボルト挿通作業性を損ない、ユニット建物の現地施工性を損なうおそれがある。
【０００８】
本発明の課題は、ユニット建物の天井支持構造において、上下の建物ユニットを現地据付段階で上下に搭載したとき、上部建物ユニットの構造材に取付けてある上金具の水平連結部の孔と、下部建物ユニットの天井パネルに取付けてある下金具の水平連結部の孔とを簡易に合致させ、ユニット建物の現地施工性を向上することにある。
【課題を解決するための手段】
【０００９】
請求項１に係る発明は、上部建物ユニットの構造材に予め取付けた上金具の水平連結部と、下部建物ユニットの天井パネルに予め取付けた下金具の水平連結部とが、それらの両建物ユニットの現地据付段階で上下に重なり配置され、それらの両金具の水平連結部に設けてある孔に挿通されるボルトにより連結されるユニット建物の天井支持構造において、前記両金具の水平連結部に設けられる孔が長孔にされ、両金具の上下の重なり配置状態で、両金具の長孔の長手方向が互いに交差配置され、前記ボルトがそれらの長孔の交差部に挿通されるようにしたものである。
【００１０】
請求項２に係る発明は、請求項１に係る発明において更に、前記上金具が上部建物ユニットの構造材への取付部から水平連結部を水平方向に突き出し、前記下金具が下部建物ユニットの天井パネルの側野縁への取付部から水平連結部を水平方向に突き出してなり、上金具の水平連結部の突き出し長さを下金具の水平連結部の突き出し長さより長く設定してなるようにしたものである。
【発明の効果】
【００１１】
（請求項１）
(a)上部建物ユニットの床パネル等の構造材に取付けてある上金具と下部建物ユニットの天井パネルに取付けてある下金具の、両金具の水平連結部に設けられる孔が長孔にされる。そして、上下の建物ユニットを現地据付段階で上下に搭載した、両金具の上下の重なり配置状態で、両金具の長孔の長手方向が互いに交差配置される。
【００１２】
従って、上部建物ユニットの床パネル等の構造材と下部建物ユニットの天井パネルのそれぞれに対する両金具の相対的な取付位置精度が充分に確保されていなくても、また下部建物ユニットに対する上部建物ユニットの据付位置精度が充分に確保されていなくても、両金具の各水平連結部に設けてある長孔同士が交差し、その交差部でそれらの長孔を簡易に合致させるものになる。それらの長孔の交差部で合致している孔部にボルトを挿通し、両金具の各水平連結部を連結できる。
【００１３】
従って、下部建物ユニットにおいて、天井パネルの一側の側野縁に対応する壁パネルがなく、当該天井パネルが相隣る他の下部建物ユニットの天井パネルに突き合わされる場合に、下部建物ユニットにおける天井パネルの上述の一辺の側野縁に予め工場で下金具を取付けるともに、この下部建物ユニットの天井パネルの側野縁に上下で対応する、上部建物ユニットにおける例えば床パネルの側根太に予め工場で上金具を取付けておく。これにより、天井パネルにおいて対応する支持壁がない一辺の側野縁を、上部建物ユニットにおける床パネルの側根太に吊り支持し、その垂れ下がりを防止することができる。
【００１４】
（請求項２）
(b)上述(a)の上部建物ユニットにおいて、例えば床パネルの一辺の側根太に対応する壁パネルがなく、当該側根太に上金具を取付け、下部建物ユニットの天井パネルにおける前記側野縁を吊り支持するとき、上部建物ユニットの床パネルにおける当該側根太の長さ（桁長さ）が比較的大きい場合であって、床パネルの撓みを抑えるために当該側根太として２本以上のランバを並べた広幅のものを用いることがある。これによって、上部建物ユニットにおける床パネルの側根太の幅が広狭異なる場合には、上述(a)で上下に重なり配置される上部建物ユニットの上金具と下部建物ユニットの下金具との間で、下部建物ユニットにおける天井パネルの側野縁に取付けられた下金具の水平連結部に対し、上部建物ユニットにおける床パネルの側根太に取付けられた上金具の水平連結部がなす相対位置が、上金具の水平連結部の突き出し方向で変化するものになる。即ち、上部建物ユニットにおける床パネルの側根太が広幅になるときには、上金具の水平連結部の突き出し端が下金具の水平連結部の突き出し端よりも突き出し方向の先方に位置するものになる。
【００１５】
本発明では、このような場合に、上金具の水平連結部の突き出し長さを、下金具の水平連結部の突き出し長さより長く設定してある。これにより、上部建物ユニットにおける床パネルの側根太の幅が狭くても広くても、同一の上金具を用いながら、上金具と下金具の両水平連結部の長孔同士を確実に交差できる。
【図面の簡単な説明】
【００１６】
【図１】図１はユニット建物を構成する上部建物ユニットと下部建物ユニットを示す模式図である。
【図２】図２は図１のII−II線に沿う断面図である。
【図３】図３は図２の天井支持構造を示す断面図である。
【図４】図４は図３の平面図である。
【図５】図５は図３の側面図である。
【図６】図６は天井支持構造の広幅側根太への適用例を示す断面図である。
【図７】図７は図６の平面図である。
【図８】図８は上部建物ユニットによる下部建物ユニットの天井支持構造の他の例を示し、（Ａ）は上階レイアウトを示す模式図、（Ｂ）は天井支持構造を示す分解斜視図である。
【図９】図９は上部建物ユニットによる下部建物ユニットの天井支持構造の他の例を示し、（Ａ）は上階レイアウトを示す模式図、（Ｂ）は天井支持構造を示す分解斜視図である。
【図１０】図１０は上部建物ユニットによる下部建物ユニットの天井支持構造の他の例を示し、（Ａ）は上階レイアウトを示す模式図、（Ｂ）は天井支持構造を示す分解斜視図である。
【図１１】図１１は図１０の天井支持構造を示す断面図である。
【発明を実施するための形態】
【００１７】
図１は本発明が適用されたユニット建物１であり、下部建物ユニット１０Ａの上に上部建物ユニット１０Ｂを搭載して構築されたものである。下部建物ユニット１０Ａと上部建物ユニット１０Ｂは実質的には同一構成とすることができ、以下、両者を建物ユニット１０として説明する。
【００１８】
建物ユニット１０は、図１、図２に示す如く、床パネル２０と、床パネル２０の相交差する３つの外縁部の、中央の１つに立設される桁壁パネル３１及び両側の２つに立設される妻壁パネル３２と、桁壁パネル３１、妻壁パネル３２の最上端部に固定される天井パネル４０とを有して構成される。
【００１９】
床パネル２０は、床枠組２１を相対する側根太２２、２３、それらの側根太２２、２３の両端部間に架け渡される端根太（不図示）等により構成し、床枠組２１の下面には下枠材２４を取着し、床枠組２１の上面には床面材２５を取着して構成される。
【００２０】
桁壁パネル３１は、壁枠組３１Ａを上枠材３１Ｂ、下枠材３１Ｃ、縦枠材３１Ｄにより構成し、壁枠組３１Ａの内外面に壁面材３１Ｅ、３１Ｆを取着して構成される。妻壁パネル３２も、桁壁パネル３１と同様に構成される。
【００２１】
天井パネル４０は、天井枠組４１を相対する側野縁４２、４３、それらの側野縁４２、４３の両端部間に架け渡される端野縁（不図示）、受木桟４４等により構成し、天井枠組４１の下面には天井面材４５を取着して構成される。
【００２２】
建物ユニット１０において、天井パネル４０は相対する側野縁４２、４３のうち、桁壁パネル３１に対応する一方の側野縁４２を釘４６により桁壁パネル３１の上枠材３１Ｂの側面に壁面材３１Ｅを介して固定する。同様に、天井パネル４０の両側の端野縁を、釘により妻壁パネル３２に固定する。
【００２３】
このとき、天井パネル４０の相対する側野縁４２、４３のうち、他方の側野縁４３は、対応する桁壁パネルがなく、建物ユニット１０に相隣る他の建物ユニット１０の天井パネル４０に突き合わされる外縁を構成する。
【００２４】
しかるに、ユニット建物１にあっては、下部建物ユニット１０Ａの上に上部建物ユニット１０Ｂを搭載したとき、下部建物ユニット１０Ａの天井パネル４０において対応する支持壁がない一辺の側野縁４３を、上部建物ユニット１０Ｂにおける床パネル２０の側根太２３に吊り支持し、その垂れ下がりを防止する天井支持構造を以下の如くに有している。
【００２５】
(1)下部建物ユニット１０Ａの上に上部建物ユニット１０Ｂを搭載するものとするとき、予め工場生産段階で、図３〜図５に示す如く、下部建物ユニット１０Ａの天井パネル４０の側野縁４３に予めＬ形下金具５０の垂直取付部５１がビス止めされ、上部建物ユニット１０Ｂの床パネル２０の側根太２３に予めＬ形上金具６０の垂直取付部６１がビス止めされる。
【００２６】
下金具５０は、下部建物ユニット１０Ａの天井パネル４０の側野縁４３への垂直取付部５１から水平連結部５２を水平方向に突き出し、水平連結部５２の幅中央にて突き出し方向に直交する方向Ｘに沿って延在する長孔５３を備える（図４）。
【００２７】
上金具６０は、上部建物ユニット１０Ｂの床パネル２０の側根太２３への垂直取付部６１から水平連結部６２を水平方向に突き出し、水平連結部６２の幅中央にて突き出し方向Ｙに沿って延在する長孔６３を備える（図４）。
【００２８】
(2)両建物ユニット１０Ａ、１０Ｂの現地据付段階で、上述(1)の上金具６０の水平連結部６２と下金具５０の水平連結部５２とが上下に重なり配置され、それらの両金具５０、６０の各水平連結部５２、６２に設けてある長孔５３、６３にボルト７０が挿通される。ボルト７０は上金具６０の長孔６３から下金具５０の長孔５３に挿通され、その挿通端にナット７１、ゆるみ止めナット７２を螺着することにより、下金具５０の水平連結部５２と上金具６０の水平連結部６２とを連結するものになる。
【００２９】
このとき、両金具５０、６０の各水平連結部５２、６２は前述の如くに長孔５３、６３を備えている。これにより、両金具５０、６０の上下の重なり配置状態で、両金具５０、６０の各長孔５３、６３の長手方向Ｘ、Ｙが互いに十字状に交差（本実施例では直交）配置され、ボルト７０がそれらの長孔５３、６３の交差部に挿通される。
【００３０】
ここで、上金具６０の水平連結部６２の突き出し長さＬ1は、下金具５０の水平連結部５２の突き出し長さＬ2より長く設定してある（図３、図６）。上部建物ユニット１０Ｂにおいて、床パネル２０の側根太２３の幅Ｗ1が図３、図４に示す如くに狭幅のときには、上金具６０の長孔６３は突き出し方向の先端側（垂直取付部６１から遠い側）で下金具５０の長孔５３との交差部を形成する。これに対し、上部建物ユニット１０Ｂの床パネル２０における側根太２３の長さ（桁長さ）が比較的大きい場合であって、床パネル２０の撓みを抑えるために当該側根太２３として２本のランバを並べた広幅のものを用い、床パネル２０の側根太２３の幅Ｗ2が図６、図７に示す如くに広幅のときには、上金具６０の長孔６３は突き出し方向の基端側（垂直取付部６１に近い側）で下金具５０の長孔５３との交差部を形成する。
【００３１】
尚、ユニット建物１にあっては、建物ユニット１０と他の建物ユニット１０とを接合するに際し、相隣る建物ユニット１０の天井突合せ部において、図２に示す如く、他の建物ユニット１０にも上述の天井支持構造（下部建物ユニット１０Ａの天井パネル４０の側野縁４３に下金具５０を取付け、上部建物ユニット１０Ｂの床パネル２０の床根太２３に上金具６０を取付ける構造）を採用する。
【００３２】
そして、相隣る下部建物ユニット１０Ａ、１０Ａの間で、一方の下部建物ユニット１０Ａの天井パネル４０の側野縁４３の下面と、他方の下部建物ユニット１０Ａの天井パネル４０の側野縁４３の下面とに、天井面材４５Ａの両端部のそれぞれを釘打ち固定する。
【００３３】
このとき、両下部建物ユニット１０Ａの天井パネル４０が備える天井面材４５が互いに不陸をなすことのないように、各天井パネル４０の側野縁４３に設けてある下金具５０の水平連結部５２の長孔５３に挿通されているボルト７０、ナット７１、ゆるみ止めナット７２を螺動調整し、各天井面材４５の水平度を調整する。
【００３４】
従って、本実施例によれば、以下の作用効果を奏する。
(a)上部建物ユニット１０Ｂの床パネル２０に取付けてある上金具６０と下部建物ユニット１０Ａの天井パネル４０に取付けてある下金具５０の、両金具５０、６０の水平連結部５２、６２に設けられる孔が長孔５３、６３にされる。そして、上下の建物ユニット１０Ａ、１０Ｂを現地据付段階で上下に搭載した、両金具５０、６０の上下の重なり配置状態で、両金具５０、６０の長孔５３、６３の長手方向が互いに交差配置される。
【００３５】
従って、上部建物ユニット１０Ｂの床パネル２０と下部建物ユニット１０Ａの天井パネル４０のそれぞれに対する両金具５０、６０の相対的な取付位置精度が充分に確保されていなくても、また下部建物ユニット１０Ａに対する上部建物ユニット１０Ｂの据付位置精度が充分に確保されていなくても、両金具５０、６０の各水平連結部５２、６２に設けてある長孔５３、６３同士が交差し、その交差部でそれらの長孔５３、６３を簡易に合致させるものになる。それらの長孔５３、６３の交差部で合致している孔部にボルト７０を挿通し、両金具５０、６０の各水平連結部５２、６２を連結できる。
【００３６】
従って、下部建物ユニット１０Ａにおいて、天井パネル４０の一側の側野縁４３に対応する壁パネルがなく、当該天井パネル４０が相隣る他の下部建物ユニット１０Ａの天井パネル４０に突き合わされる場合に、下部建物ユニット１０Ａにおける天井パネル４０の上述の一辺の側野縁４３に予め工場で下金具５０を取付けるともに、この下部建物ユニット１０Ａの天井パネル４０の側野縁４３に上下で対応する、上部建物ユニット１０Ｂにおける床パネル２０の側根太２３に予め工場で上金具６０を取付けておく。これにより、下部建物ユニット１０Ａの天井パネル４０において対応する支持壁がない一辺の側野縁４３を、上部建物ユニット１０Ｂにおける床パネル２０の側根太２３に吊り支持し、その垂れ下がりを防止することができる。
【００３７】
(b)上述(a)の上部建物ユニット１０Ｂにおいて、床パネル２０の一辺の側根太２３に対応する壁パネルがなく、当該側根太２３に上金具６０を取付け、下部建物ユニット１０Ａの天井パネル４０における前記側野縁４３を吊り支持するとき、上部建物ユニット１０Ｂの床パネル２０における当該側根太２３の長さ（桁長さ）が比較的大きい場合であって、床パネル２０の撓みを抑えるために当該側根太２３として２本以上のランバを並べた広幅のものを用いることがある。これによって、上部建物ユニット１０Ｂの床パネル２０において側根太２３の幅が広狭異なる場合には、上述(a)で上下に重なり配置される上部建物ユニット１０Ｂの上金具６０と下部建物ユニット１０Ａの下金具５０との間で、下部建物ユニット１０Ａにおける天井パネル４０の側野縁４３に取付けられた下金具５０の水平連結部５２に対し、上部建物ユニット１０Ｂにおける床パネル２０の側根太２３に取付けられた上金具６０の水平連結部がなす相対位置が、上金具６０の水平連結部６２の突き出し方向で変化するものになる。即ち、上部建物ユニット１０Ｂにおける床パネル２０の側根太２３が広幅になるときには、上金具６０の水平連結部６２の突き出し端が下金具５０の水平連結部５２の突き出し端よりも突き出し方向の先方に位置するものになる。
【００３８】
本実施例では、このような場合に、上金具６０の水平連結部６２の突き出し長さを、下金具５０の水平連結部５２の突き出し長さより長く設定してある。これにより、上部建物ユニット１０Ｂにおける床パネル２０の側根太２３の幅が狭くても広くても、同一の上金具６０を用いながら、上金具６０と下金具５０の両水平連結部５２、６２の長孔５３、６３同士を確実に交差できる。
【００３９】
図８に示したユニット建物１は、セットバックされた居室ユニット１０１と、居室ユニット１０１の前面のバルコニーユニット１０２を有する。そして、居室ユニット１０１を本発明の上部建物ユニット１００Ｂとし、この上部建物ユニット１００Ｂを前記実施例の上部建物ユニット１０Ｂと同様に構成している。即ち、この上部建物ユニット１００Ｂにおける床パネル２０の側根太２３に、前記実施例におけると同様の下部建物ユニット１０Ａの天井パネル４０において対応する支持壁がない一辺の側野縁４３を以下の如くに吊り支持したものである。
【００４０】
(1)下部建物ユニット１０Ａの工場生産段階で、下部建物ユニット１０Ａの天井パネル４０の上記側野縁４３と、これに相対する他の側野縁４３との間に、下金具１１０を嵌め込み固定する。
【００４１】
下金具１１０は、天井パネル４０の相対する側野縁４３、４３の側面に両側の垂直取付部１１１がビス止めされ、両垂直取付部１１１の上端間に水平連結部１１２を水平方向に延設し、水平連結部１１２の幅中央にてその延設方向に沿う方向Ｘに沿って延在する長孔１１３を備える。水平連結部１１２の幅方向両側縁部には補強リブ１１２Ａが折曲げ形成されている。
【００４２】
(2)上部建物ユニット１００Ｂの工場生産段階で、上部建物ユニット１００Ｂの床パネル２０の側根太２３にＬ形上金具１２０を固定する。床パネル２０の側根太２３は天井パネル４０の側野縁４３に直交配置されているものとする。
【００４３】
上金具１２０は、床パネル２０の側根太２３の側面に垂直取付部１２１がビス止めされ、垂直取付部１２１の下端から水平連結部１２２を水平方向に突き出し、水平連結部１２２の幅中央にてその突き出し方向Ｙに沿って延在する長孔１２３を備える。水平連結部１２２の幅方向両側縁部には補強リブ１２２Ａが折曲げ形成されている。
【００４４】
(3)両建物ユニット１０Ａ、１１０Ｂの現地据付段階で、上述(1)の下金具１１０の水平連結部１１２と、上述(2)の上金具１２０の水平連結部１２２とが上下に重なり配置され、それらの両金具１１０、１２０の各水平連結部１１２、１２２に設けてある長孔１１３、１２３にボルト１３０が挿通される。ボルト１３０は上金具１２０の長孔１２３から下金具１１０の長孔１１３に挿通され、その挿通端にナット１３１を螺着することにより、下金具１１０の水平連結部１１２と上金具１２０の水平連結部１２２とを連結するものになる。１３２は水平連結部１２２の上面に着座する座金を示し、１３３は水平連結部１１２の下面に着座する座金を示す。
【００４５】
このとき、両金具１１０、１２０の各水平連結部１１２、１２２は前述の如くに長孔１１３、１２３を備えている。これにより、両金具１１０、１２０の上下の重なり配置状態で、両金具１１０、１２０の各長孔１１３、１２３の長手方向Ｘ、Ｙが互いに十字状に交差（本実施例では直交）配置され、ボルト１３０がそれらの長孔１１３、１２３の交差部に挿通される。
本実施例によれば、前記図２に示した実施例と実質的に同様の作用効果を奏する。
【００４６】
図９に示したユニット建物１は、セットバックされた居室ユニット２０１と、居室ユニット２０１の前面のバルコニーユニット２０２を有する。そして、バルコニーユニット２０２を本発明の上部建物ユニット２００Ｂとし、この上部建物ユニット２００Ｂの床パネル２０３が床枠組２０４を構成する側根太２０５を備えるものとしている。即ち、この上部建物ユニット２００Ｂにおける床パネル２０３の側根太２０５に、前記実施例におけると同様の下部建物ユニット１０Ａの天井パネル４０において対応する支持壁がない一辺の側野縁４３を以下の如くに吊り支持したものである。
【００４７】
(1)下部建物ユニット１０Ａの工場生産段階で、下部建物ユニット１０Ａの天井パネル４０の上記側野縁４３と、これに相対する他の側野縁４３との間に、下金具２１０を嵌め込み固定する。
【００４８】
下金具２１０は、天井パネル４０の相対する側野縁４３、４３の側面に両側の垂直取付部２１１がビス止めされ、両垂直取付部２１１の上端間に水平連結部２１２を水平方向に延設し、水平連結部２１２の幅中央にてその延設方向に沿う方向Ｘに沿って延在する長孔２１３を備える。水平連結部２１２の幅方向両側縁部には補強リブ２１２Ａが折曲げ形成されている。
【００４９】
(2)上部建物ユニット２００Ｂの工場生産段階で、上部建物ユニット２００Ｂの床パネル２０３の相対する側根太２０５、２０５の間に上金具２２０を嵌め込み固定する。床パネル２０３の側根太２０５は天井パネル４０の側野縁４３に平行配置されているものとする。
【００５０】
上金具２２０は、床パネル２０３の相対する側根太２０５、２０５の側面に両側の垂直取付部２２１がビス止めされ、両垂直取付部２２１の上端間に水平連結部２２２を水平方向に延設し、水平連結部２２２の幅中央にてその延設方向に直交する方向Ｙに沿って延在する長孔２２３を備える。水平連結部２２２の幅方向両側縁部には補強リブ２２２Ａが折曲げ形成されている。
【００５１】
(3)両建物ユニット１０Ａ、２００Ｂの現地据付段階で、上述(1)の下金具２１０の水平連結部２１２と、上述(2)の上金具２２０の水平連結部２２２とが上下に重なり配置され、それらの両金具２１０、２２０の各水平連結部２１２、２２２に設けてある長孔２１３、２２３にボルト２３０が挿通される。ボルト２３０は上金具２２０の長孔２２３から下金具２１０の長孔２１３に挿通され、その挿通端にナット２３１を螺着することにより、下金具２１０の水平連結部２１２と上金具２２０の水平連結部２２２とを連結するものになる。２３２は水平連結部２２２の上面に着座する座金を示し、２３３は水平連結部２１２の下面に着座する座金を示す。
【００５２】
このとき、両金具２１０、２２０の各水平連結部２１２、２２２は前述の如くに長孔２１３、２２３を備えている。これにより、両金具２１０、２２０の上下の重なり配置状態で、両金具２１０、２２０の各長孔２１３、２２３の長手方向Ｘ、Ｙが互いに十字状に交差（本実施例では直交）配置され、ボルト２３０がそれらの長孔２１３、２２３の交差部に挿通される。
本実施例によれば、前記図２に示した実施例と実質的に同様の作用効果を奏する。
【００５３】
図１０、図１１に示したユニット建物１は、下部建物ユニット１０Ａの上に屋根ユニット３０１を有する。そして、屋根ユニット３０１を本発明の上部建物ユニット３００Ｂとし、この上部建物ユニット３００Ｂにおける屋根トラス３０２の下弦材３０３に、前記実施例におけると同様の下部建物ユニット１０Ａの天井パネル４０において対応する支持壁がない一辺の側野縁４３を以下の如くに吊り支持したものである。
【００５４】
(1)下部建物ユニット１０Ａの工場生産段階で、下部建物ユニット１０Ａの天井パネル４０の上記側野縁４３にＬ形下金具３１０を固定する。
【００５５】
下金具３１０は、天井パネル４０の側野縁４３の側面に垂直取付部３１１がビス止めされ、この垂直取付部３１１の上端から水平連結部３１２を水平方向に突き出し、水平連結部３１２の幅中央にてその突き出し方向に直交する方向Ｘに沿って延在する長孔３１３を備える。
【００５６】
(2)上部建物ユニット３００Ｂの工場生産段階で、上部建物ユニット３００Ｂの屋根ユニット３０１の下弦材３０３にＬ形上金具３２０を固定する。屋根ユニット３０１の下弦材３０３は天井パネル４０の側野縁４３に平行配置されているものとする。そして、相隣る屋根ユニット３０１、３０１の相対する下弦材３０３、３０３の成の高さ方向に沿う下部を、相隣る下部建物ユニット１０Ａ、１０Ａの相対する側野縁４３、４３の間隔内に配置させている。
【００５７】
上金具３２０は、屋根ユニット３０１の下弦材３０３の側面に垂直取付部３２１がビス止めされ、垂直取付部３２１の下端から水平連結部３２２を水平方向に突き出し、水平連結部３２２の幅中央にてその突き出し方向Ｙに沿って延在する長孔３２３を備える。水平連結部３２２の幅方向両側縁部には補強リブ３２２Ａが折曲げ形成されている。
【００５８】
(3)両建物ユニット１０Ａ、３００Ｂの現地据付段階で、上述(1)の下金具３１０の水平連結部３１２と、上述(2)の上金具３２０の水平連結部３２２とが上下に重なり配置され、それらの両金具３１０、３２０の各水平連結部３１２、３２２に設けてある長孔３１３、３２３にボルト３３０が挿通される。ボルト３３０は、上金具３２０の長孔３２３から下金具３１０の長孔３１３に挿通され、その挿通端にナット３３１を螺着することにより、下金具３１０の水平連結部３１２と上金具３２０の水平連結部３２２とを連結するものになる。３３２は水平連結部３２２の上面に着座する座金を示し、３３３は水平連結部３１２の下面に着座する座金を示す。
【００５９】
このとき、両金具３１０、３２０の各水平連結部３１２、３２２は前述の如くに長孔３１３、３２３を備えている。これにより、両金具３１０、３２０の上下の重なり配置状態で、両金具３１０、３２０の各長孔３１３、３２３の長手方向Ｘ、Ｙが互いに十字状に交差（本実施例では直交）配置され、ボルト３３０がそれらの長孔３１３、３２３の交差部に挿通される。
本実施例によれば、前記図２に示した実施例と実質的に同様の作用効果を奏する。
【００６０】
以上、本発明の実施の形態を図面により記述したが、本発明の具体的な構成はこの実施の形態に限られるものではなく、本発明の要旨を逸脱しない範囲の設計の変更等があっても本発明に含まれる。例えば、本発明の上部建物ユニットと下部建物ユニットは居室ユニットであることを必須としない。上部建物ユニットはバルコニーユニット、屋根ユニット等であっても良く、下部建物ユニットは玄関ユニット、車庫ユニット等であっても良い。
【産業上の利用可能性】
【００６１】
本発明によれば、ユニット建物の天井支持構造において、上下の建物ユニットを現地据付段階で上下に搭載したとき、上部建物ユニットの構造材に取付けてある上金具の水平連結部の孔と、下部建物ユニットの天井パネルに取付けてある下金具の水平連結部の孔とを簡易に合致させ、ユニット建物の現地施工性を向上することができる。
【符号の説明】
【００６２】
１  ユニット建物
１０Ａ  下部建物ユニット
１０Ｂ  上部建物ユニット
２０  床パネル
２３  側根太（構造材）
４０  天井パネル
４３  側野縁
５０  下金具
５１  垂直取付部
５２  水平連結部
５３  長孔
６０  上金具
６１  垂直取付部
６２  水平連結部
６３  長孔
７０  ボルト
１００Ｂ  上部建物ユニット
１１０  下金具
１１１  垂直取付部
１１２  水平連結部
１１３  長孔
１２０  上金具
１２１  垂直取付部
１２２  水平連結部
１２３  長孔
１３０  ボルト
２００Ｂ  上部建物ユニット
２１０  下金具
２１１  垂直取付部
２１２  水平連結部
２１３  長孔
２２０  上金具
２２１  垂直取付部
２２２  水平連結部
２２３  長孔
２３０  ボルト
３００Ｂ  上部建物ユニット
３１０  下金具
３１１  垂直取付部
３１２  水平連結部
３１３  長孔
３２０  上金具
３２１  垂直取付部
３２２  水平連結部
３２３  長孔
３３０  ボルト
【図１】
2012229603.tif 000003
【図２】
2012229603.tif 000004
【図３】
2012229603.tif 000005
【図４】
2012229603.tif 000006
【図５】
2012229603.tif 000007
【図６】
2012229603.tif 000008
【図７】
2012229603.tif 000009
【図８】
2012229603.tif 000010
【図９】
2012229603.tif 000011
【図１０】
2012229603.tif 000012
【図１１】
2012229603.tif 000013